(57)【特許請求の範囲】
【請求項１】
フロアキャビネットと、
前記フロアキャビネットの上方に設けられたシンクと、
前記シンクの前方において下端部を回動軸として開閉し開いた位置で停止する幕板部と、
前記幕板部の後方に設けられ、複数本の包丁をそれぞれの切っ先を後方に向けた状態で収納可能な包丁収納部であって、前記幕板部が閉じた状態においては前記シンクの直下の収納領域にあり、前記複数本の包丁を前記収納領域に収納し、前記幕板部が開いた状態において前記収納領域から前方へ移動可能な包丁収納部と、
前記幕板部の開閉動作と連動しつつ前記幕板部が開く動作よりも遅れて、開いた位置で停止した前記幕板部の上方に前記包丁収納部を露出させる遅延引出し機構部と、
を備えたことを特徴とするシステムキッチン。
【請求項２】
フロアキャビネットと、
前記フロアキャビネットの上方に設けられたシンクと、
前記シンクの前方において下端部を回動軸として開閉し開いた位置で停止する幕板部と、
前記幕板部の後方に設けられ、複数本の包丁をそれぞれの切っ先を後方に向けた状態で収納可能な包丁収納部であって、前記幕板部が閉じた状態においては前記シンクの直下の収納領域にあり、前記複数本の包丁を前記収納領域に収納し、前記幕板部が開いた状態において前記収納領域から前方へ移動可能な包丁収納部と、
前記幕板部の開閉動作と連動しつつ前記幕板部が開く動作の途中から前方への移動を開始させて、開いた位置で停止した前記幕板部の上方に前記包丁収納部を露出させる遅延引出し機構部と、
を備えたことを特徴とするシステムキッチン。
【請求項３】
フロアキャビネットと、
前記フロアキャビネットの上方に設けられたシンクと、
前記シンクの前方において下端部を回動軸として開閉し開いた位置で停止する幕板部と、
複数本の包丁をそれぞれの切っ先を後方に向けた状態で収納可能な包丁収納部であって、前記幕板部が閉じた状態においては前記シンクの下方にあり、前記幕板部が開いた状態において前方へ移動可能な包丁収納部と、
前記幕板部の開閉動作と連動しつつ前記幕板部が開く動作の開始と同時に前記幕板部の速度よりも遅い速度で前方への移動を開始させて、開いた位置で停止した前記幕板部の上方に前記包丁の柄を露出させる遅延引出し機構部と、
を備えたことを特徴とするシステムキッチン。
【請求項４】
前記引出し機構部は、
前記幕板部に連結され前方および後方へ移動する第１のリンク部材と、
前記第１のリンク部材の前方移動よりも遅れて連動を開始し前記包丁収納部を前方へ移動させる第２のリンク部材と、
前記シンクの下方において前記包丁収納部が水平に配置された収納位置と、前記シンクの前方において前記包丁収納部が前方側を上方へ傾斜させた状態で配置された使用位置と、の間を移動可能に前記包丁収納部を支持するガイド板と、
を有し、
前記第２のリンク部材は、前記幕板部が開く動作よりも遅れて前記包丁収納部の前方への移動を開始させ、
前記ガイド板は、前記包丁収納部を前記使用位置に移動させることを特徴とする請求項１または２に記載のシステムキッチン。
【請求項５】
前記引出し機構部は、
前記幕板部に連結され前方および後方へ移動する第１のリンク部材と、
前記第１のリンク部材の前方移動と同時に連動を開始し前記包丁収納部を前方へ移動させる第２のリンク部材と、
前記シンクの下方において前記包丁収納部が水平に配置された収納位置と、前記シンクの前方において前記包丁収納部が前方側を上方へ傾斜させた状態で配置された使用位置と、の間を移動可能に前記包丁収納部を支持するガイド板と、
を有し、
前記第２のリンク部材は、前記幕板部が開く動作の開始と同時に前記幕板部の速度よりも遅い速度で前記包丁収納部の前方への移動を開始させ、
前記ガイド板は、前記包丁収納部を前記使用位置に移動させることを特徴とする請求項１または３に記載のシステムキッチン。
【請求項６】
前記シンクと前記幕板部との間に設けられた小物収納部をさらに備え、
前記包丁収納部は、前記幕板部と前記小物収納部との間から前記包丁の柄を露出させることを特徴とする請求項１〜５のいずれか１つに記載のシステムキッチン。
【発明の詳細な説明】
【技術分野】
【０００１】
本発明の態様は、一般的に、システムキッチンに関する。
【背景技術】
【０００２】
近年のシステムキッチンの中には、キッチンの乱雑さを避けるために、例えばシンクの下方に設けられたフロアキャビネットの中に包丁を収納するものがある。それらの中でも一般的によく知られているシステムキッチンは、例えばシンクの下の開き戸や引出しの前板の裏面（内側面）に設けられた包丁差しに包丁を収納するものである（特許文献１）。しかしながら、特許文献１に記載されたキッチンでは、使用者は、腰を屈めて包丁を出し入れする必要がある。そのため、足腰に負担がかかり、包丁を出し入れすることがやや面倒である。
【０００３】
また、キャビネットを構成する幕板の内方側に設けられた包丁ホルダーに、包丁をその柄あるいは刃が横向きとなるように収納する流し台がある（特許文献２）。しかしながら、特許文献２に記載された流し台では、収納された包丁の柄が横方向（左方向または右方向）を向いている。そのため、収納された包丁からみて左右のいずれかの側から包丁を取り出すことは困難であり、使い勝手が悪いという問題がある。
【０００４】
また、シンクの下の引き出し内に包丁を収納可能なキッチンがある（特許文献３）。しかしながら、特許文献３に記載されたキッチンでは、引き出しの中に包丁が置かれるため、包丁の出し入れがしにくいという問題がある。
【０００５】
また、揺動して立ち上がることができるように引き出し本体に支持された揺動枠体を備えた住宅設備機器がある（特許文献４）。特許文献４に記載された住宅設備機器では、揺動枠体は、被収納物を着脱可能に位置決め保持する。使用者は、引き出しを前方に引き出して揺動枠体を立ち上げると、収納済みの被収納物全体を一目で観察することができ、また、被収納物を、ほぼ垂直方向に向けたままで引き出しに対して容易に着脱することができる。しかしながら、特許文献４に記載された住宅設備機器では、揺動枠体は、使用者が引き出しを比較的大きく引き出さないと立ち上がらない。そのため、システムキッチンにおいては、使い勝手が悪いという問題がある。
【先行技術文献】
【特許文献】
【０００６】
【特許文献１】特開２００９−５９１４号公報
【特許文献２】特開２００９−６６１９３号公報
【特許文献３】特開２００２−２９１５４７号公報
【特許文献４】特開２００８−１３２２０５号公報
【発明の概要】
【発明が解決しようとする課題】
【０００７】
本発明は、かかる課題の認識に基づいてなされたものであり、腰を屈めずに左右どちらからでも包丁を出し入れできるシステムキッチンを提供することを目的とする。
【課題を解決するための手段】
【０００８】
第１の発明は、フロアキャビネットと、前記フロアキャビネットの上方に設けられたシンクと、前記シンクの前方において下端部を回動軸として開閉し開いた位置で停止する幕板部と、前記幕板部の後方に設けられ、複数本の包丁をそれぞれの切っ先を後方に向けた状態で収納可能な包丁収納部であって、前記幕板部が閉じた状態においては前記シンクの直下の収納領域にあり、前記複数本の包丁を前記収納領域に収納し、前記幕板部が開いた状態において前記収納領域から前方へ移動可能な包丁収納部と、前記幕板部の開閉動作と連動しつつ前記幕板部が開く動作よりも遅れて、開いた位置で停止した前記幕板部の上方に前記包丁収納部を露出させる遅延引出し機構部と、を備えたことを特徴とするシステムキッチンである。
【０００９】
このシステムキッチンによれば、シンクの直下のより狭い空間を活用して複数の包丁を収納することができる。そのため、従来までは有効に使用できない無駄な空間と考えられていた空間の有効活用を図り、システムキッチンの収納容量を増加させることができる。また、使用者が幕板部を開けることにより包丁収納部をシンクの直下の収納領域からシンクの前方へ移動させると、包丁の柄がシンクの前方に露出する。そのため、使用者は、腰を屈めずに包丁を出し入れすることができる。これにより、使い勝手を向上させることができる。また、包丁は、その切っ先を奥行方向（後方）へ向け、その柄尻を手前方向（前方）へ向けて収納される。そのため、包丁は、柄尻を左右方向へ向けて収納される場合と比較して、使用者が包丁を取り出しやすい方向に整理して収納される。これにより、使用者は、包丁収納部からみて左側方および右側方のどちらからでも包丁を取り出しやすい。また、右仕様のシステムキッチンおよび左仕様のシステムキッチンに合わせた左右違いの包丁収納部を品揃えする必要がない。
【００１０】
また、包丁収納部は、幕板部の開閉動作と連動しつつ幕板部が開く動作よりも遅れて、開いた位置で停止した幕板部の上方に露出する。そのため、包丁収納部が前方へ移動する際に、包丁の柄が幕板部と接触して支えることを防止することができる。これにより、幕板部が開かなくなることを防止することができる。そのため、使用者は、幕板部を滑らかに開くことができる。
【００１１】
また、第２の発明は、フロアキャビネットと、前記フロアキャビネットの上方に設けられたシンクと、前記シンクの前方において下端部を回動軸として開閉し開いた位置で停止する幕板部と、前記幕板部の後方に設けられ、複数本の包丁をそれぞれの切っ先を後方に向けた状態で収納可能な包丁収納部であって、前記幕板部が閉じた状態においては前記シンクの直下の収納領域にあり、前記複数本の包丁を前記収納領域に収納し、前記幕板部が開いた状態において前記収納領域から前方へ移動可能な包丁収納部と、前記幕板部の開閉動作と連動しつつ前記幕板部が開く動作の途中から前方への移動を開始させて、開いた位置で停止した前記幕板部の上方に前記包丁収納部を露出させる遅延引出し機構部と、を備えたことを特徴とするシステムキッチンである。
【００１２】
このシステムキッチンによれば、包丁収納部は、幕板部の開閉動作と連動しつつ幕板部が開く動作の途中から前方への移動を開始し、開いた位置で停止した幕板部の上方に露出する。そのため、使用者は、幕板部を開く初期段階では、より軽い力でより楽に幕板部を開くことができる。一方、使用者は、幕板部を閉じる際には、幕板部を閉じる途中で包丁収納部の格納作業を終了することができる。これによれば、使用者は、幕板部を閉じる初期段階ではより大きい力を必要とする一方で、包丁収納部を格納した後ではより軽い力でより楽に幕板部を閉じることができる。そのため、幕板部が不用意に開いたままの状態となることを防止することができる。
【００１３】
また、第３の発明は、フロアキャビネットと、前記フロアキャビネットの上方に設けられたシンクと、前記シンクの前方において下端部を回動軸として開閉し開いた位置で停止する幕板部と、複数本の包丁をそれぞれの切っ先を後方に向けた状態で収納可能な包丁収納部であって、前記幕板部が閉じた状態においては前記シンクの下方にあり、前記幕板部が開いた状態において前方へ移動可能な包丁収納部と、前記幕板部の開閉動作と連動しつつ前記幕板部が開く動作の開始と同時に前記幕板部の速度よりも遅い速度で前方への移動を開始させて、開いた位置で停止した前記幕板部の上方に前記包丁の柄を露出させる遅延引出し機構部と、を備えたことを特徴とするシステムキッチンである。
【００１４】
このシステムキッチンによれば、包丁収納部は、幕板部の開閉動作と連動しつつ幕板部が開く動作の開始と同時に幕板部の速度よりも遅い速度で前方への移動を開始し、開いた位置で停止した幕板部の上方に包丁の柄を露出させる。そのため、使用者は、幕板部を開く初期段階において包丁の柄の前方移動を確認することができ、また、より早い段階で包丁を取り出すこともできる。
【００１５】
また、第４の発明は、第１または第２の発明において、前記引出し機構部は、前記幕板部に連結され前方および後方へ移動する第１のリンク部材と、前記第１のリンク部材の前方移動よりも遅れて連動を開始し前記包丁収納部を前方へ移動させる第２のリンク部材と、前記シンクの下方において前記包丁収納部が水平に配置された収納位置と、前記シンクの前方において前記包丁収納部が前方側を上方へ傾斜させた状態で配置された使用位置と、の間を移動可能に前記包丁収納部を支持するガイド板と、を有し、前記第２のリンク部材は、前記幕板部が開く動作よりも遅れて前記包丁収納部の前方への移動を開始させ、前記ガイド板は、前記包丁収納部を前記使用位置に移動させることを特徴とするシステムキッチンである。
【００１６】
このシステムキッチンによれば、第２のリンク部材は、幕板部が開く動作よりも遅れて連動を開始する。そして、第２のリンク部材は、包丁収納部を前方へ移動させることができる。そのため、包丁収納部が前方へ移動する際に、包丁の柄が幕板部と接触して支えることを防止することができる。これにより、幕板部が開かなくなることを防止することができる。そのため、使用者は、幕板部を滑らかに開くことができる。
【００１７】
また、第５の発明は、第１または第３の発明において、前記引出し機構部は、前記幕板部に連結され前方および後方へ移動する第１のリンク部材と、前記第１のリンク部材の前方移動と同時に連動を開始し前記包丁収納部を前方へ移動させる第２のリンク部材と、前記シンクの下方において前記包丁収納部が水平に配置された収納位置と、前記シンクの前方において前記包丁収納部が前方側を上方へ傾斜させた状態で配置された使用位置と、の間を移動可能に前記包丁収納部を支持するガイド板と、を有し、前記第２のリンク部材は、前記幕板部が開く動作の開始と同時に前記幕板部の速度よりも遅い速度で前記包丁収納部の前方への移動を開始させ、前記ガイド板は、前記包丁収納部を前記使用位置に移動させることを特徴とするシステムキッチンである。
【００１８】
このシステムキッチンによれば、第２のリンク部材は、幕板部が開く動作と同時に連動を開始する。そして、第２のリンク部材は、包丁収納部を前方へ移動させることができる。そのため、包丁収納部が前方へ移動する際に、包丁の柄が幕板部と接触して支えることを防止することができる。これにより、幕板部が開かなくなることを防止することができる。そのため、使用者は、幕板部を滑らかに開くことができる。さらに、幕板部を開く初期段階において包丁の柄の前方移動を確認することができ、また、より早い段階で包丁を取り出すこともできる。
【００１９】
また、第６の発明は、第１〜第５のいずれか１つの発明において、前記シンクと前記幕板部との間に設けられた小物収納部をさらに備え、前記包丁収納部は、前記幕板部と前記小物収納部との間から前記包丁の柄を露出させることを特徴とするシステムキッチンである。
【００２０】
このシステムキッチンによれば、使用者は、例えば幕板部の背後などに調理小物を収納することができる。また、使用者が包丁を出し入れする際に、小物収納部が邪魔になることはない。
【発明の効果】
【００２１】
本発明の態様によれば、腰を屈めずに左右どちらからでも包丁を出し入れできるシステムキッチンが提供される。
【図面の簡単な説明】
【００２２】
【図１】本発明の実施の形態にかかるシステムキッチンを表す斜視模式図である。
【図２】本実施形態にかかるシステムキッチンを表す断面模式図である。
【図３】本実施形態の連動機構部の具体例を例示する断面模式図である。
【図４】本実施形態の連動機構部の具体例を例示する断面模式図である。
【図５】本実施形態の連動機構部の他の具体例を例示する断面模式図である。
【図６】本実施形態の連動機構部のさらに他の具体例を例示する断面模式図である。
【図７】本実施形態の連動機構部のさらに他の具体例を例示する断面模式図である。
【図８】本具体例の連動機構部を拡大して眺めた斜視模式図である。
【図９】本具体例の連動機構部を拡大して眺めた斜視模式図である。
【図１０】本実施形態の連動機構部のさらに他の具体例を例示する断面模式図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、本発明の実施の形態にかかるシステムキッチンを表す斜視模式図である。  
また、図２は、本実施形態にかかるシステムキッチンを表す断面模式図である。  
なお、図１（ａ）は、幕板部が閉じた状態を表す斜視模式図である。図１（ｂ）は、幕板部が開いた状態を表す斜視模式図である。また、図２（ａ）は、図１（ａ）に表した切断面Ａ−Ａにおける断面模式図である。図２（ｂ）は、図１（ｂ）に表した切断面Ｂ−Ｂにおける断面模式図である。
【００２４】
本実施形態にかかるシステムキッチン１００は、フロアキャビネット１１０と、シンク１２０と、幕板部１３０と、を備える。  
シンク１２０は、フロアキャビネット１１０の上方に設けられている。  
図１（ｂ）および図２（ｂ）に表したように、幕板部１３０は、下端部を回動軸として開閉する扉である。そして、幕板部１３０は、開いた位置で停止する。
【００２５】
本願明細書において「前方」とは、システムキッチン１００の正面に立った使用者からみて手前方向をいうものとする。また、「後方」とは、システムキッチン１００の正面に立った使用者からみて奥行方向をいうものとする。また、「右側方」とは、システムキッチン１００の正面に立った使用者からみて右側の方向をいうものとする。また、「左側方」とは、システムキッチン１００の正面に立った使用者からみて左側の方向をいうものとする。
【００２６】
図１（ｂ）および図２（ｂ）に表したように、幕板部１３０には、例えば、丁番１３３およびリンクアーム１５５が取り付けられている。丁番１３３としては、例えば「スライド丁番」などと呼ばれる丁番などが挙げられる。そのため、本願明細書において「回動軸」という範囲には、固定された回動軸だけではなく、移動可能な回動軸が含まれるものとする。丁番１３３の一端は、幕板部１３０に固定され、丁番１３３の他端は、フロアキャビネット１１０に固定されている。つまり、丁番１３３は、幕板部１３０とフロアキャビネット１１０とを連結させている。
【００２７】
リンクアーム１５５は、一端において幕板部１３０に連結され、前後方向に移動することができる。リンクアーム１５５の詳細については、後に詳述する。
【００２８】
図２（ａ）および図２（ｂ）に表したように、シンク１２０の下方には、収納領域１０１が設けられている。収納領域１０１は、シンク１２０の直下で上下に狭い所定範囲を有する空間を形成している。幕板部１３０が閉じた状態において、収納領域１０１には、包丁収納部１４１が設けられている。言い換えれば、包丁収納部１４１は、収納状態において収納領域１０１にシンク１２０の底面とほぼ平行な姿勢となるように設けられている。包丁収納部１４１は、複数本の包丁１０をそれぞれの切っ先をシステムキッチン１００の後方へ向けた状態で収納することができる。言い換えれば、包丁収納部１４１は、複数本の包丁１０をそれぞれの切っ先とは反対側の柄１１の柄尻をシステムキッチン１００の前方へ向けた状態で収納することができる。但し、包丁１０の収納状態は、包丁１０の長手方向が幕板部１３０に対して垂直である状態に限定されるわけではない。
【００２９】
図１（ａ）および図２（ａ）に表したように、幕板部１３０は、閉じた状態における上端部に把手１３１を有する。使用者は、把手１３１を把持し前方へ操作することにより、幕板部１３０を回動させ開くことができる。これにより、図１（ｂ）および図２（ｂ）に表したように、収納領域１０１に設けられた包丁収納部１４１は、前方へ移動する。そうすると、包丁１０の柄１１がシンク１２０の前方に露出する。つまり、使用者は、幕板部１３０を開くことにより包丁収納部１４１を前方へ移動させ、包丁収納部１４１の前方移動に連動してシンク１２０の前方に包丁１０の柄１１を露出させることができる。
【００３０】
このとき、包丁収納部１４１は、幕板部１３０の開閉動作と連動しつつ、幕板部１３０が開く動作よりも遅れて、シンク１２０の前方および開いた位置で停止した幕板部１３０の上方の位置に露出する。これによれば、包丁収納部１４１が前方へ移動する際に、包丁１０の柄１１が幕板部１３０と接触して支（つか）えることを防止することができる。これにより、幕板部１３０が開かなくなることを防止することができる。そのため、使用者は、幕板部１３０を滑らかに開くことができる。
【００３１】
あるいは、包丁収納部１４１は、幕板部１３０の開閉動作と連動しつつ、幕板部１３０が開く動作の途中から前方への移動を開始し、シンク１２０の前方および開いた位置で停止した幕板部１３０の上方の位置に露出する。これによれば、使用者は、幕板部１３０を開く初期段階では、より軽い力でより楽に幕板部１３０を開くことができる。一方、使用者は、幕板部１３０を閉じる際には、幕板部１３０を閉じる途中で包丁収納部１４１の格納作業を終了することができる。これによれば、使用者は、幕板部１３０を閉じる初期段階ではより大きい力を必要とする一方で、包丁収納部１４１を格納した後ではより軽い力でより楽に幕板部１３０を閉じることができる。そのため、幕板部１３０が不用意に開いたままの状態となることを防止することができる。
【００３２】
あるいは、包丁収納部１４１は、幕板部１３０の開閉動作と連動しつつ、幕板部１３０が開く動作の開始と略同時に前方への移動を開始する。そして、包丁収納部１４１は、前方への移動の初期段階では、幕板部１３０が前方へ移動する速度あるいは幕板部１３０が開く速度よりも遅い速度で前方へ移動する。これにより、包丁１０の柄１１は、シンク１２０の前方および開いた位置で停止した幕板部１３０の上方の位置に露出する。これによれば、使用者は、幕板部１３０を開く初期段階において包丁１０の柄１１の前方移動を確認することができ、また、より早い段階で包丁１０を取り出すこともできる。そのため、調理作業の効率をより向上させることができる。  
これらの機構部（遅延引出し機構部）の具体例については、後に詳述する。
【００３３】
本実施形態によれば、シンク１２０の下方のより狭い空間を活用して複数の包丁１０を収納することができる。そのため、従来までは有効に使用できない無駄な空間と考えられていた空間の有効活用を図り、システムキッチン１００の収納容量を増加させることができる。また、使用者が幕板部１３０を開けることにより包丁収納部１４１をシンク１２０の下方からシンク１２０の前方へ移動させると、包丁１０の柄１１がシンク１２０の前方に露出する。そのため、使用者は、腰を屈めずに包丁１０を出し入れすることができる。これにより、使い勝手を向上させることができる。また、包丁１０は、その切っ先を奥行方向（後方）へ向け、その柄１１の柄尻を手前方向（前方）へ向けて収納される。そのため、包丁１０は、柄１１の柄尻を左右方向へ向けて収納される場合と比較して、使用者が包丁１０を取り出しやすい方向に整理して収納される。これにより、使用者は、包丁収納部１４１からみて左側方および右側方のどちらからでも包丁１０を取り出しやすい。また、右仕様のシステムキッチン１００および左仕様のシステムキッチン１００に合わせた左右違いの包丁収納部を品揃えする必要がない。
【００３４】
図１（ｂ）および図２（ｂ）に表したように、幕板部１３０は、下端部を回動軸として開閉し開いた位置で停止する扉であるため、使用者は、幕板部１３０を開き包丁収納部１４１を前方へ移動させることにより、シンク１２０の前方および開いた位置で停止した幕板部１３０の上方の位置に包丁１０の柄１１を露出させることができる。言い換えれば、フロアキャビネット１１０から露出した包丁１０の柄１１は、開いた位置で停止した幕板部１３０の前端部１３０ａよりも前方に位置することはない。
【００３５】
これによれば、開いた位置で停止した幕板部１３０の前端部１３０ａよりも前方に包丁１０の柄１１が位置することはないため、使用者は、システムキッチン１００の正面を移動するときに包丁１０の柄１１に触れることはない。そのため、使用者は、包丁収納部１４１を前方へ移動させたままでも安心して厨房作業を行うことができる。また、開いた位置で停止した幕板部１３０の前端部１３０ａは、幕板部１３０が例えば引出しの前板などである場合において開いた位置で停止した幕板部１３０の前端部よりも後方に位置する。つまり、幕板部１３０が前方へ移動する量は、幕板部１３０が例えば引出しの前板などである場合の前方へ移動する量よりも少ない。そのため、より使いやすいシステムキッチン１００を提供することができる。
【００３６】
また、閉じた状態の幕板部１３０と、シンク１２０と、の間には、小物収納部１４３が設けられている。小物収納部１４３は、例えばキッチンばさみや栓抜きなどの調理小物を収納することができる。小物収納部１４３は、図示しない軸により例えばフロアキャビネット１１０などに回動自在に軸支され、閉じた状態の幕板部１３０に寄りかかっている。そのため、図１（ｂ）および図２（ｂ）に表したように、使用者が幕板部１３０を開くと、幕板部１３０に寄りかかっていた小物収納部１４３は、図示しない軸を中心に回動しシンク１２０の前方に露出する。そして、小物収納部１４３は、所定位置で停止する。
【００３７】
この場合には、包丁１０の柄１１は、幕板部１３０と小物収納部１４３との間から飛び出して露出する。これによれば、使用者は、幕板部１３０の背後（後方）に小物を収納することができる。また、使用者が包丁１０を出し入れする際に、小物収納部１４３が邪魔になることはない。
【００３８】
次に、幕板部１３０の開閉と、包丁収納部１４１の前後移動と、を連動させる連動機構部（遅延引出し機構部）の具体例について、図面を参照しつつ説明する。  
図３および図４は、本実施形態の連動機構部の具体例を例示する断面模式図である。  
なお、図３は、説明の便宜上、包丁を省略した断面模式図である。図３（ａ）は、幕板部が閉じた状態を表す断面模式図である。図３（ｂ）は、幕板部が開いた状態を表す断面模式図である。図４は、包丁を省略せずに表した断面模式図である。図４（ａ）は、幕板部が閉じた状態を表す断面模式図である。図４（ｂ）および図４（ｃ）は、幕板部１３０が開いている途中の状態を例示する断面模式図である。図４（ｄ）は、幕板部が開いた状態を表す断面模式図である。
【００３９】
図３（ａ）および図４（ａ）は、図１（ａ）に表した切断面Ａ−Ａにおける断面模式図に相当する。図３（ｂ）および図４（ｄ）は、図１（ｂ）に表した切断面Ｂ−Ｂにおける断面模式図に相当する。
【００４０】
本具体例の連動機構部１５０は、包丁収納部ガイド板（ガイド板）１５１と、可動溝カム板（第２のリンク部材）１５３と、リンクアーム（第１のリンク部材）１５５と、アングル１５７と、を有する。
【００４１】
包丁収納部ガイド板１５１は、第１の包丁収納部ガイド溝１５１ａと、第２の包丁収納部ガイド溝１５１ｂと、包丁収納部ガイド板軸部１５１ｃと、を有する。包丁収納部ガイド板１５１は、フロアキャビネット１１０に固定されている。
【００４２】
可動溝カム板１５３は、カム溝１５３ａと、可動溝カム板軸部１５３ｂと、を有する。可動溝カム板１５３は、包丁収納部ガイド板軸部１５１ｃにおいて包丁収納部ガイド板１５１に対して回動自在に軸支されている。
【００４３】
リンクアーム１５５は、アングル１５７が有するアングル軸部１５７ａにおいてアングル１５７に対して回動自在に軸支されている。そして、リンクアーム１５５は、一端においてアングル１５７を介して幕板部１３０に連結されている。リンクアーム１５５は、他端において可動溝カム板１５３に連結されている。具体的には、リンクアーム１５５は、可動溝カム板軸部１５３ｂにおいて可動溝カム板１５３に対して回動自在に軸支されている。
【００４４】
包丁収納部１４１は、第１の包丁収納部軸部１４１ａと、第２の包丁収納部軸部１４１ｂと、を有する。第１の包丁収納部軸部１４１ａは、第１の包丁収納部ガイド溝１５１ａと係合し、第１の包丁収納部ガイド溝１５１ａに沿って移動することができる。第２の包丁収納部軸部１４１ｂは、第２の包丁収納部ガイド溝１５１ｂおよびカム溝１５３ａと係合し、第２の包丁収納部ガイド溝１５１ｂおよびカム溝１５３ａに沿って移動することができる。
【００４５】
使用者が幕板部１３０を開くと、リンクアーム１５５が前方へ移動する。そうすると、図３（ａ）に表した矢印Ａ１のように、リンクアーム１５５と連結された可動溝カム板１５３は、包丁収納部ガイド板軸部１５１ｃを中心として前方へ向かって回動する。そうすると、第２の包丁収納部軸部１４１ｂは、可動溝カム板１５３の回動開始と略同時あるいは可動溝カム板１５３の回動開始よりも遅れて、カム溝１５３ａの側壁から前方への力を受ける。これにより、第２の包丁収納部軸部１４１ｂは、第２の包丁収納部ガイド溝１５１ｂおよびカム溝１５３ａに沿って前方へ移動する。また、第１の包丁収納部軸部１４１ａは、第１の包丁収納部ガイド溝１５１ａに沿って前方へ移動する。
【００４６】
これにより、図３（ｂ）に表したように、包丁収納部１４１は、前方へ移動する。そして、図４（ｄ）に表したように、包丁収納部１４１は、前方へ移動することにより、シンク１２０の前方に包丁１０の柄１１を露出させることができる。つまり、使用者は、幕板部１３０を開くことにより包丁収納部１４１を前方へ移動させ、包丁収納部１４１の前方移動に連動してシンク１２０の前方に包丁１０の柄１１を露出させることができる。
【００４７】
これによれば、幕板部１３０が開く動作に連動して、包丁収納部１４１が前方へ移動する。そのため、使用者は、調理作業をすいすいとより効率的に行うことができる。また、使用者が幕板部１３０を開くと、包丁収納部１４１が前方へ移動し、包丁１０の柄１１がシンク１２０の前方に自動的に露出する。そのため、使用者は、腰を屈めずに包丁１０を出し入れすることができる。これにより、使い勝手を向上させることができる。
【００４８】
図３（ａ）および図３（ｂ）に表したように、第１の包丁収納部軸部１４１ａが係合した第１の包丁収納部ガイド溝１５１ａは、前方へ向かうにつれて上昇するように形成されている。一方、第２の包丁収納部軸部１４１ｂが係合した第２の包丁収納部ガイド溝１５１ｂは、略水平に形成されている。これにより、包丁収納部１４１が前方へ移動するにつれて、包丁収納部１４１の前端部（前方側）は上昇し、包丁収納部１４１の後端部は略水平に移動する。
【００４９】
すなわち、本具体例の連動機構部１５０は、シンク１２０の下方において包丁収納部１４１が略水平に配置された収納位置と、シンク１２０の前方において包丁収納部１４１がその前端部（前方部）を上方へ傾斜させた状態で配置された使用位置と、の間を包丁収納部１４１が移動するように動作する。あるいは、包丁収納部ガイド板１５１は、シンク１２０の下方において包丁収納部１４１が略水平に配置された収納位置と、シンク１２０の前方において包丁収納部１４１がその前端部（前方部）を上方へ傾斜させた状態で配置された使用位置と、の間を包丁収納部１４１が移動できるように包丁収納部１４１を支持する。
【００５０】
そのため、包丁収納部１４１は、前方への動作と連動して包丁１０の柄１１を上方へ持ち上げるように移動する。言い換えれば、本具体例の連動機構部１５０は、幕板部１３０の開閉動作と、包丁収納部１４１が包丁１０の柄１１を上下させる動作と、が連動するように動作する。そして、包丁１０の柄１１は、前方へ向かうにつれて上昇してシンク１２０の前方に露出する。
【００５１】
これによれば、包丁収納部１４１は、使用者が包丁１０を取り出しやすい位置に自動的に移動する。また、幕板部１３０の開閉動作と、包丁収納部１４１の上下動作と、が連動するため、包丁１０の出し入れの手間が軽減される。そのため、調理作業の効率を向上させることができる。さらに、連動機構部１５０は、シンク１２０の下方のより狭い空間へ包丁収納部１４１を収納する動作と、使用者が包丁１０を取り出しやすい位置へ包丁収納部１４１を移動させる動作と、をより楽に行うことができる。
【００５２】
本具体例では、例えば図３に表した範囲Ｂ１内のカム溝１５３ａは、包丁収納部ガイド板軸部１５１ｃあるいは包丁収納部ガイド板軸部１５１ｃと係合する可動溝カム板孔部を中心した円形状を呈する。そのため、使用者が幕板部１３０を開くことで、リンクアーム１５５と連結された可動溝カム板１５３が包丁収納部ガイド板軸部１５１ｃを中心として回動しても、第２の包丁収納部軸部１４１ｂは、カム溝１５３ａの側壁から力を受けない。そのため、図４（ｂ）に表したように、第２の包丁収納部軸部１４１ｂが図３に表した範囲Ｂ１内のカム溝１５３ａを相対的に移動するときには、第２の包丁収納部軸部１４１ｂは、前方へは移動しない。
【００５３】
続いて、使用者が幕板部１３０をさらに開くと、第２の包丁収納部軸部１４１ｂは、図３に表した範囲Ｂ１外のカム溝１５３ａを相対的に移動するときにカム溝１５３ａの側壁から前方への力を受ける。そうすると、図４（ｃ）に表したように、包丁収納部１４１は、前方へ移動する。
【００５４】
このように、本具体例の連動機構部１５０は、幕板部１３０が開く動作よりも遅れて、シンク１２０の前方および開いた位置で停止した幕板部１３０の上方の位置に包丁収納部１４１を露出させることができる。具体的には、包丁収納部１４１は、幕板部１３０が開く動作の途中から前方への移動を開始する。つまり、本具体例の連動機構部１５０は、遅延引出し機構部としての機能を有する。
【００５５】
幕板部１３０が開く動作よりも遅れることなく包丁収納部１４１を露出させようとすると、包丁収納部１４１が前方へ移動する際に、包丁１０の柄１１が幕板部１３０と接触して支（つか）える場合がある。そうすると、幕板部１３０や包丁収納部１４１が動かなくなる場合がある。あるいは、包丁１０が幕板部１３０を無理に押して露出する場合がある。
【００５６】
これに対して、本具体例では、幕板部１３０が開く動作よりも遅れて、包丁収納部１４１を露出させることができる。そのため、包丁収納部１４１が前方へ移動する際に、包丁１０の柄１１が幕板部１３０と接触して支えることを防止することができる。これにより、幕板部１３０が開かなくなることを防止することができる。そのため、使用者は、幕板部１３０を滑らかに開くことができる。
【００５７】
また、前述したように、包丁収納部１４１は、幕板部１３０が開く動作の途中から前方への移動を開始する。そのため、使用者は、幕板部１３０を開く初期段階では、より軽い力でより楽に幕板部１３０を開くことができる。一方、使用者は、幕板部１３０を閉じる際には、幕板部１３０を閉じる途中で包丁収納部１４１の格納作業を終了することができる。これによれば、使用者は、幕板部１３０を閉じる初期段階ではより大きい力を必要とする一方で、包丁収納部１４１を格納した後ではより軽い力でより楽に幕板部１３０を閉じることができる。そのため、幕板部１３０が不用意に開いたままの状態となることを防止することができる。
【００５８】
図５は、本実施形態の連動機構部の他の具体例を例示する断面模式図である。  
なお、図５（ａ）は、幕板部が閉じた状態を表す断面模式図である。図５（ｂ）および図５（ｃ）は、幕板部１３０が開いている途中の状態を例示する断面模式図である。図５（ｄ）は、幕板部が開いた状態を表す断面模式図である。  
図５（ａ）は、図１（ａ）に表した切断面Ａ−Ａにおける断面模式図に相当する。図５（ｄ）は、図１（ｂ）に表した切断面Ｂ−Ｂにおける断面模式図に相当する。
【００５９】
本具体例の連動機構部１５０ａは、図３および４に関して前述した連動機構部１５０の変形例に相当する。  
すなわち、本具体例の可動溝カム板１５３は、カム溝１５３ｄを有する。カム溝１５３ｄは、図３に表した範囲Ｂ１内のカム溝１５３ａのようには、包丁収納部ガイド板軸部１５１ｃあるいは包丁収納部ガイド板軸部１５１ｃと係合する可動溝カム板孔部を中心した円形状を呈するわけではない。本具体例のカム溝１５３ｄは、一端部１５３ｅから他端部１５３ｆへ向かうに連れて包丁収納部ガイド板軸部１５１ｃあるいは包丁収納部ガイド板軸部１５１ｃと係合する可動溝カム板孔部へ近づく湾曲部Ｂ２を有する。
【００６０】
そのため、使用者が幕板部１３０を開くことで、リンクアーム１５５と連結された可動溝カム板１５３が包丁収納部ガイド板軸部１５１ｃを中心として前方へ向かって回動すると、第２の包丁収納部軸部１４１ｂは、可動溝カム板１５３の回動開始と略同時に、カム溝１５３ｄの側壁から前方への力を受ける。このとき、図５（ａ）に表したように、カム溝１５３ｄの湾曲部Ｂ２は、一端部１５３ｅから他端部１５３ｆへ向かうに連れて包丁収納部ガイド板軸部１５１ｃあるいは包丁収納部ガイド板軸部１５１ｃと係合する可動溝カム板孔部へ徐々に近づく。そのため、第２の包丁収納部軸部１４１ｂは、カム溝１５３ｄの湾曲部Ｂ２を相対的に移動するときには、カム溝１５３ｄの側壁から前方への僅かな力を受ける。そうすると、図５（ｂ）に表したように、包丁収納部１４１は、前方へ徐々に移動する。
【００６１】
続いて、第２の包丁収納部軸部１４１ｂは、カム溝１５３ｄの湾曲部Ｂ２よりも他端部１５３ｆの側を相対的に移動するときには、カム溝１５３ｄの湾曲部Ｂ２を相対的に移動するときと比較して、カム溝１５３ｄの側壁から前方へのより大きな力を受ける。そうすると、図５（ｃ）および図５（ｄ）に表したように、包丁収納部１４１は、第２の包丁収納部軸部１４１ｂがカム溝１５３ｄの湾曲部Ｂ２を相対的に移動するときと比較して、より速い速度で前方へ移動する。  
その他の構造および動作は、図３および４に関して前述した連動機構部１５０の構造および動作と同様である。
【００６２】
本具体例の連動機構部１５０ａは、幕板部１３０が開く動作よりも遅れて、シンク１２０の前方および開いた位置で停止した幕板部１３０の上方の位置に包丁１０の柄１１を露出させることができる。具体的には、包丁収納部１４１は、幕板部１３０が開く動作の開始と略同時に前方への移動を開始し、前方への移動の初期段階では、幕板部１３０が前方へ移動する速度あるいは幕板部１３０が開く速度よりも遅い速度で前方へ移動する。つまり、本具体例の連動機構部１５０ａは、遅延引出し機構部としての機能を有する。
【００６３】
本具体例によれば、包丁収納部１４１が前方へ移動する際に、包丁１０の柄１１が幕板部１３０と接触して支えることを防止することができる。そのため、使用者は、幕板部１３０を滑らかに開くことができる。また、使用者は、幕板部１３０を開く初期段階において包丁１０の柄１１の前方移動を確認することができ、また、より早い段階で包丁１０を取り出すこともできる。そのため、調理作業の効率をより向上させることができる。
【００６４】
図６および図７は、本実施形態の連動機構部のさらに他の具体例を例示する断面模式図である。  
また、図８および図９は、本具体例の連動機構部を拡大して眺めた斜視模式図である。  なお、図６は、説明の便宜上、包丁を省略した断面模式図である。図６（ａ）は、幕板部が閉じた状態を表す断面模式図である。図６（ｂ）は、幕板部１３０が開いている途中の状態を例示する断面模式図である。図６（ｃ）は、幕板部が開いた状態を表す断面模式図である。図７は、包丁を省略せずに表した断面模式図である。図７（ａ）は、幕板部が閉じた状態を表す断面模式図である。図７（ｂ）は、幕板部１３０が開いている途中の状態を例示する断面模式図である。図７（ｃ）は、幕板部が開いた状態を表す断面模式図である。  
図８（ａ）は、幕板部が開いた状態を表す斜視模式図である。図８（ｂ）は、幕板部が開いた状態における包丁収納部ガイド板軸部１６１ｃの近傍を拡大して眺めた斜視模式図である。図９（ａ）は、幕板部が閉じる途中の状態を例示する斜視模式図である。図９（ｂ）は、幕板部が閉じる途中の状態における包丁収納部ガイド板軸部１６１ｃの近傍を拡大して眺めた斜視模式図である。
【００６５】
図６（ａ）および図７（ａ）は、図１（ａ）に表した切断面Ａ−Ａにおける断面模式図に相当する。図６（ｃ）および図７（ｃ）は、図１（ｂ）に表した切断面Ｂ−Ｂにおける断面模式図に相当する。
【００６６】
本具体例の連動機構部１６０は、包丁収納部ガイド板（ガイド板）１６１と、可動溝カム板（第２のリンク部材）１６３と、リンクアーム（第１のリンク部材）１６５と、アングル１６７と、を有する。
【００６７】
包丁収納部ガイド板１６１は、第１の包丁収納部ガイド溝１６１ａと、第２の包丁収納部ガイド溝１６１ｂと、包丁収納部ガイド板軸部１６１ｃと、を有する。包丁収納部ガイド板１６１は、フロアキャビネット１１０に固定されている。
【００６８】
可動溝カム板１６３は、カム溝１６３ａと、可動溝カム板軸部１６３ｂと、可動溝カム板突起部１６３ｃと、を有する。可動溝カム板１６３は、包丁収納部ガイド板軸部１６１ｃにおいて包丁収納部ガイド板１６１に対して回動自在に軸支されている。可動溝カム板軸部１６３ｂは、リンクアーム１６５が有するリンクアーム溝部１６５ａと係合し、リンクアーム溝部１６５ａに沿って移動することができる。可動溝カム板突起部１６３ｃは、図８（ｂ）および図９（ｂ）に表したように、リンクアーム１６５が設けられた側の可動溝カム板１６３の側面からリンクアーム１６５あるいは包丁収納部ガイド板１６１へ向かって突出している。
【００６９】
リンクアーム１６５は、アングル１６７が有するアングル軸部１６７ａにおいてアングル１６７に対して回動自在に軸支されている。そして、リンクアーム１６５は、一端においてアングル１６７を介して幕板部１３０に連結されている。リンクアーム１６５は、他端において、リンクアーム１６５の延在方向に沿って設けられたリンクアーム溝部１６５ａを有する。前述したように、可動溝カム板軸部１６３ｂは、リンクアーム溝部１６５ａと係合し、リンクアーム溝部１６５ａに沿って移動することができる。  
包丁収納部１４１は、図３および図４に関して前述した包丁収納部と同様である。
【００７０】
使用者が幕板部１３０を開くと、図６（ａ）に表した矢印Ａ２のように、リンクアーム１６５が前方へ移動する。そうすると、図６（ｂ）に表したように、可動溝カム板軸部１６３ｂは、リンクアーム溝部１６５ａを相対的に後方へ移動する。このとき、可動溝カム板軸部１６３ｂは、リンクアーム溝部１６５ａの側壁から力を受けない。そのため、図６（ｂ）および図７（ｂ）に表したように、可動溝カム板１６３は、包丁収納部ガイド板軸部１６１ｃを中心としては回動しない。そのため、可動溝カム板軸部１６３ｂがリンクアーム溝部１６５ａを相対的に後方へ移動するときには、第２の包丁収納部軸部１４１ｂが、カム溝１６３ａの側壁から力を受けることはなく、第２の包丁収納部ガイド溝１６１ｂおよびカム溝１６３ａに沿って前方へ移動することはない。
【００７１】
続いて、可動溝カム板軸部１６３ｂがリンクアーム溝部１６５ａの後端部に当接し、使用者が幕板部１３０をさらに開くと、可動溝カム板軸部１６３ｂは、リンクアーム溝部１６５ａの後端部の側壁から力を受ける。これにより、図６（ｂ）に表した矢印Ａ３のように、可動溝カム板１６３は、包丁収納部ガイド板軸部１６１ｃを中心として前方へ向かって回動する。そうすると、第２の包丁収納部軸部１４１ｂは、可動溝カム板１６３の回動開始と略同時に、カム溝１６３ａの側壁から前方への力を受ける。これにより、第２の包丁収納部軸部１４１ｂは、第２の包丁収納部ガイド溝１６１ｂおよびカム溝１６３ａに沿って前方へ移動する。また、第１の包丁収納部軸部１４１ａは、第１の包丁収納部ガイド溝１６１ａに沿って前方へ移動する。
【００７２】
これにより、図６（ｃ）に表したように、包丁収納部１４１は、前方へ移動する。そして、図７（ｃ）に表したように、包丁収納部１４１は、前方へ移動することにより、シンク１２０の前方に包丁１０の柄１１を露出させることができる。つまり、使用者は、幕板部１３０を開くことにより包丁収納部１４１を前方へ移動させ、包丁収納部１４１の前方移動に連動してシンク１２０の前方に包丁１０の柄１１を露出させることができる。
【００７３】
このとき、図３および図４に関して前述した具体例と同様に、包丁収納部１４１は、前方への動作と連動して包丁１０の柄１１を上方へ持ち上げるように移動する。言い換えれば、本具体例の連動機構部１６０は、幕板部１３０の開閉動作と、包丁収納部１４１が包丁１０の柄１１を上下させる動作と、が連動するように動作する。そして、包丁１０の柄１１は、前方へ向かうにつれて上昇してシンク１２０の前方に露出する。
【００７４】
このように、本具体例の連動機構部１６０は、幕板部１３０が開く動作よりも遅れて、シンク１２０の前方および開いた位置で停止した幕板部１３０の上方の位置に包丁収納部１４１を露出させることができる。具体的には、包丁収納部１４１は、幕板部１３０が開く動作の途中から前方への移動を開始する。つまり、本具体例の連動機構部１６０は、遅延引出し機構部としての機能を有する。
【００７５】
ここで、図６（ｂ）に表したように、包丁収納部ガイド板軸部１６１ｃと、第２の包丁収納部軸部１４１ｂと、の間の距離を「Ｌ４」とする。また、包丁収納部ガイド板軸部１６１ｃと、可動溝カム板軸部１６３ｂと、の間の距離を「Ｌ３」とする。  
一方、図３（ａ）に表したように、包丁収納部ガイド板軸部１５１ｃと、第２の包丁収納部軸部１４１ｂと、の間の距離を「Ｌ２」とする。また、包丁収納部ガイド板軸部１５１ｃと、可動溝カム板軸部１５３ｂと、の間の距離を「Ｌ１」とする。
【００７６】
本具体例では、距離Ｌ３に対する距離Ｌ４の比率は、距離Ｌ１に対する距離Ｌ２の比率よりも大きい。そのため、本具体例では、図３および図４に関して前述した具体例と比較して、幕板部１３０およびリンクアーム１６５の前方へのより小さい移動距離で、包丁収納部１４１および包丁１０の柄１１をシンク１２０のより前方へ移動させ露出させることができる。また、図３および図４に関して前述した効果と同様の効果が得られる。
【００７７】
一方、使用者が幕板部１３０を閉じると、図８（ａ）および図８（ｂ）に表したように、リンクアーム１６５の後端部が可動溝カム板突起部１６３ｃに当接する。  
ここで、可動溝カム板突起部１６３ｃが設けられていない場合において、使用者が幕板部１３０を閉じると、リンクアーム１６５だけが後方へ移動し、可動溝カム板１６３は、包丁収納部ガイド板軸部１６１ｃを中心としては回動しない。そうすると、包丁収納部１４１および包丁収納部１４１に収納された包丁１０が後方へ移動しないにもかかわらず、幕板部１３０が閉じる。そうすると、幕板部１３０が包丁１０の柄１１と接触する。
【００７８】
これに対して、本具体例の連動機構部１６０の可動溝カム板１６３は、側面からリンクアーム１６５へ向かって突出した可動溝カム板突起部１６３ｃを有する。そのため、使用者が開いた状態の幕板部１３０を閉じると、リンクアーム１６５の後端部が可動溝カム板突起部１６３ｃに当接する。これにより、可動溝カム板１６３が包丁収納部ガイド板軸部１６１ｃを中心として後方へ回動しない状態でリンクアーム１６５だけが後方へ移動することを防止することができる。言い換えれば、リンクアーム１６５の後端部が可動溝カム板突起部１６３ｃに当接した状態において、可動溝カム板軸部１６３ｂがリンクアーム溝部１６５ａを相対的に前方へ移動することを防止することができる。これにより、使用者が幕板部１３０を閉じる際にも、幕板部１３０が包丁１０の柄１１と接触することを防止することができる。
【００７９】
そして、リンクアーム１６５の後端部が可動溝カム板突起部１６３ｃに当接し後方への力を与えることで、図９（ａ）および図９（ｂ）に表したように、可動溝カム板１６３は、包丁収納部ガイド板軸部１６１ｃを中心として後方へ回動する。そうすると、第２の包丁収納部軸部１４１ｂは、可動溝カム板１６３の回動開始と略同時に、カム溝１６３ａの側壁から後方への力を受ける。これにより、第２の包丁収納部軸部１４１ｂは、第２の包丁収納部ガイド溝１６１ｂおよびカム溝１６３ａに沿って後方へ移動する。また、第１の包丁収納部軸部１４１ａは、第１の包丁収納部ガイド溝１６１ａに沿って後方へ移動する。これにより、包丁収納部１４１は、前方へ移動する。
【００８０】
また、可動溝カム板１６３が所定角度だけ回動すると、リンクアーム１６５は、可動溝カム板突起部１６３ｃに当接せず、あるいは可動溝カム板突起部１６３ｃの表面を摺動することで後方へ移動することができる。このときには、包丁収納部１４１は、前方へ移動している。そのため、幕板部１３０が包丁１０の柄１１と接触することを防止することができる。そして、幕板部１３０が開くときとは逆の作用により、シンク１２０の下方の収納領域１０１に包丁収納部１４１を収納することができる。
【００８１】
図１０は、本実施形態の連動機構部のさらに他の具体例を例示する断面模式図である。  なお、図１０（ａ）は、幕板部が閉じた状態を表す断面模式図である。図１０（ｂ）および図１０（ｃ）は、幕板部１３０が開いている途中の状態を例示する断面模式図である。図１０（ｄ）は、幕板部が開いた状態を表す断面模式図である。  
図１０（ａ）は、図１（ａ）に表した切断面Ａ−Ａにおける断面模式図に相当する。図１０（ｄ）は、図１（ｂ）に表した切断面Ｂ−Ｂにおける断面模式図に相当する。
【００８２】
本具体例の連動機構部１７０は、包丁収納部ガイド板（ガイド板）１７１と、包丁収納部駆動アーム（第２のリンク部材）１７３と、リンクアーム（第１のリンク部材）１７５と、アングル１７７と、を有する。
【００８３】
包丁収納部ガイド板１７１は、第１の包丁収納部ガイド溝１７１ａと、第２の包丁収納部ガイド溝１７１ｂと、を有する。包丁収納部ガイド板１７１は、フロアキャビネット１１０に固定されている。
【００８４】
包丁収納部駆動アーム１７３は、長穴１７３ａと、包丁収納部駆動アーム軸部１７３ｂと、を有する。包丁収納部駆動アーム１７３は、フロアキャビネット１１０に設けられたキャビネット軸部１１１において、フロアキャビネット１１０に対して回動自在に軸支されている。
【００８５】
リンクアーム１７５は、一端においてアングル１５７を介して幕板部１３０に連結されている。これは、図３および図４に関して前述したリンクアーム１５５の連結構造と同様である。リンクアーム１７５は、他端において包丁収納部駆動アーム１７３に連結されている。具体的には、リンクアーム１５５は、包丁収納部駆動アーム軸部１７３ｂにおいて包丁収納部駆動アーム１７３に対して回動自在に軸支されている。
【００８６】
本具体例では、収納領域１０１（図２参照）に収納された包丁収納部１４１は、図３〜図７に関して前述した具体例において収納領域１０１に収納された包丁収納部１４１よりも後方側のフロアキャビネット１１０に配置されている。つまり、収納状態の包丁収納部１４１に収納された包丁１０の柄１１の柄尻と、閉じた状態の幕板部１３０と、の間隔は、幕板部１３０が開くときの包丁収納部１４１の前方への移動の際の包丁１０と幕板部１３０との接触を回避するための移動代を含む。  
その他の包丁収納部１４１の構造は、図３および図４に関して前述した包丁収納部の構造と同様である。
【００８７】
本具体例によれば、包丁収納部１４１の前方への移動の際の包丁１０と幕板部１３０との接触を回避するための移動代が、収納状態の包丁収納部１４１に収納された包丁１０の柄１１の柄尻と、閉じた状態の幕板部１３０と、の間隔に含まれる。そのため、包丁収納部１４１が前方へ移動する際に、包丁１０の柄１１が幕板部１３０と接触して支えることを防止することができる。これにより、幕板部１３０が開かなくなることを防止することができる。そのため、使用者は、幕板部１３０を滑らかに開くことができる。
【００８８】
使用者が幕板部１３０を開くと、リンクアーム１７５が前方へ移動する。そうすると、図１０（ａ）に表した矢印Ａ４のように、リンクアーム１７５と連結された包丁収納部駆動アーム１７３は、キャビネット軸部１１１を中心として前方へ向かって回動する。そうすると、第２の包丁収納部軸部１４１ｂは、包丁収納部駆動アーム１７３の回動開始と略同時に長穴１７３ａの側壁から前方への力を受ける。これにより、第２の包丁収納部軸部１４１ｂは、第２の包丁収納部ガイド溝１７１ｂおよび長穴１７３ａに沿って前方へ移動する。また、第１の包丁収納部軸部１４１ａは、第１の包丁収納部ガイド溝１７１ａに沿って前方へ移動する。
【００８９】
これにより、図１０（ｂ）および図１０（ｃ）に表したように、包丁収納部１４１は、前方へ移動する。そして、図１０（ｄ）に表したように、包丁収納部１４１は、前方へ移動することにより、シンク１２０の前方に包丁１０の柄１１を露出させることができる。つまり、使用者は、幕板部１３０を開くことにより包丁収納部１４１を前方へ移動させ、包丁収納部１４１の前方移動に連動してシンク１２０の前方に包丁１０の柄１１を露出させることができる。
【００９０】
このとき、図３および図４に関して前述した具体例と同様に、包丁収納部１４１は、前方への動作と連動して包丁１０の柄１１を上方へ持ち上げるように移動する。言い換えれば、本具体例の連動機構部１７０は、幕板部１３０の開閉動作と、包丁収納部１４１が包丁１０の柄１１を上下させる動作と、が連動するように動作する。そして、包丁１０の柄１１は、前方へ向かうにつれて上昇してシンク１２０の前方に露出する。  
また、図１０（ｃ）および図１０（ｄ）に表したように、包丁１０の柄１１は、幕板部１３０と小物収納部１４３との間から飛び出して露出する。これによれば、使用者は、幕板部１３０の背後に小物を収納することができる。また、使用者が包丁１０を出し入れする際に、小物収納部１４３が邪魔になることはない。
【００９１】
本具体例の連動機構部１７０は、幕板部１３０が開く動作よりも遅れて、シンク１２０の前方および開いた位置で停止した幕板部１３０の上方の位置に包丁収納部１４１を露出させることができる。具体的には、包丁収納部１４１は、幕板部１３０が開く動作の開始と略同時に前方への移動を開始する。そして、収納状態の包丁収納部１４１に収納された包丁１０の柄１１の柄尻と、閉じた状態の幕板部１３０と、の間隔が含む移動代により、包丁１０の柄１１が幕板部１３０と接触して支えることを防止することができる。これにより、幕板部１３０が開かなくなることを防止することができる。つまり、本具体例の連動機構部１７０は、遅延引出し機構部としての機能を有する。
【００９２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、システムキッチン１００などが備える各要素の形状、寸法、材質、配置などや包丁収納部１４１の設置形態などは、例示したものに限定されるわけではなく適宜変更することができる。また、幕板部１３０の開閉と、包丁収納部１４１の前後移動と、を連動させる連動機構部などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９３】
１０ 包丁、  １１ 柄、  １００ システムキッチン、  １０１ 収納領域、  １１０ フロアキャビネット、  １１１ キャビネット軸部、  １２０ シンク、  １３０ 幕板部、  １３０ａ 前端部、  １３１ 把手、  １３３ 丁番、  １４１ 包丁収納部、  １４１ａ 第１の包丁収納部軸部、  １４１ｂ 第２の包丁収納部軸部、  １４３ 小物収納部、  １５０、１５０ａ 連動機構部、  １５１ 包丁収納部ガイド板、  １５１ａ 第１の包丁収納部ガイド溝、  １５１ｂ 第２の包丁収納部ガイド溝、  １５１ｃ 包丁収納部ガイド板軸部、  １５３ 可動溝カム板、  １５３ａ カム溝、  １５３ｂ 可動溝カム板軸部、  １５３ｄ カム溝、  １５３ｅ 一端部、  １５３ｆ 他端部、  １５５ リンクアーム、  １５７ アングル、  １５７ａ アングル軸部、  １６０ 連動機構部、  １６１ 包丁収納部ガイド板、  １６１ａ 第１の包丁収納部ガイド溝、  １６１ｂ 第２の包丁収納部ガイド溝、  １６１ｃ 包丁収納部ガイド板軸部、  １６３ 可動溝カム板、  １６３ａ カム溝、  １６３ｂ 可動溝カム板軸部、  １６３ｃ 可動溝カム板突起部、  １６５ リンクアーム、  １６５ａ リンクアーム溝部、  １６７ アングル、  １６７ａ アングル軸部、  １７０ 連動機構部、  １７１ 包丁収納部ガイド板、  １７１ａ 第１の包丁収納部ガイド溝、  １７１ｂ 第２の包丁収納部ガイド溝、  １７３ 包丁収納部駆動アーム、  １７３ａ 長穴、  １７３ｂ 包丁収納部駆動アーム軸部、  １７５ リンクアーム、  １７７ アングル
【図１】
0005975248.tif 000002
【図２】
0005975248.tif 000003
【図３】
0005975248.tif 000004
【図４】
0005975248.tif 000005
【図５】
0005975248.tif 000006
【図６】
0005975248.tif 000007
【図７】
0005975248.tif 000008
【図８】
0005975248.tif 000009
【図９】
0005975248.tif 000010
【図１０】
0005975248.tif 000011